(57)【要約】【課題】空調システム作動時、凝縮水の持つ冷熱を有効に利用することにより、冷房初期において素早い冷房ができると共に、動力を必要とせず冷房能力の全体的レベルアップを達成することができる空調システムを提供すること。【解決手段】空調ユニット１０内のエバポレータ５から凝縮水として排出されたドレン水をエアコンサイクルの高圧パイプ７の冷却に使用する車両用空調システムにおいて、前記高圧パイプ７の途中位置に、空調ユニット１０に接続されたドレンホース１５からドレン水とドレン風を導入し、ドレン水の顕熱と蒸発潜熱を利用して高圧パイプ７を冷却する高圧パイプ冷却装置１８Ａを設けた。【選択図】図１
2008286489.tif 000002
【特許請求の範囲】
【請求項１】
空調ユニット内のエバポレータから凝縮水として排出されたドレン水をエアコンサイクルの高圧パイプの冷却に使用する空調システムにおいて、
前記高圧パイプの途中位置に、空調ユニットに接続されたドレンホースからドレン水とドレン風を導入し、ドレン水の顕熱と蒸発潜熱を利用して高圧パイプを冷却する高圧パイプ冷却装置を設けたことを特徴とする空調システム。
【請求項２】
請求項１に記載された空調システムにおいて、
前記ドレンホースは、一端を空調ユニットのドレン排出口に接続し、ダッシュパネルのドレン排出口に近いパネル位置を貫通し、他端であるホース開口端をパワーユニットルーム内に配置し、
前記高圧パイプは、前記ホース開口端に近接する位置にてＵ字状に屈曲させたＵ字状屈曲部を形成し、
前記高圧パイプ冷却装置は、前記ドレンホースのホース開口端を装置ケースの入口部に臨ませて配置し、リキッドタンクからの冷媒の流れがケース出口側からケース入口側となる高圧パイプのＵ字状屈曲部を装置ケース内に配置したことを特徴とする空調システム。
【請求項３】
請求項１または請求項２に記載された空調システムにおいて、
前記高圧パイプ冷却装置は、装置ケースの本体部に備えた高圧パイプを冷却するパイプ冷却機構と、装置ケースの入口部に備えたドレン水に含まれる異物を外部に除去する異物除去機構を有することを特徴とする空調システム。
【請求項４】
請求項１乃至請求項３の何れか１項に記載された空調システムにおいて、
前記パイプ冷却機構は、装置ケースのケース側面位置に、高圧パイプを浸漬するドレン水を一定水位までに保持するドレン水排出口を開口したことを特徴とする空調システム。
【請求項５】
請求項４に記載された空調システムにおいて、
前記パイプ冷却機構は、高圧パイプのＵ字状屈曲部を装置ケースのケース底面に沿って配置し、前記Ｕ字状屈曲部のうち、ケース底面に沿った水平部分から、ケース側面に沿って立ち上がる出口側垂直部分までのドレン風を受ける範囲に微細通孔材を巻き付けたことを特徴とする空調システム。
【請求項６】
請求項５に記載された空調システムにおいて、
前記パイプ冷却機構は、装置ケースのケース上面位置に、高圧パイプのＵ字状屈曲部に巻き付けた微細通孔材に沿ってドレン風を当てるように、ドレンホースから導入されるドレン風の流れを規定するドレン風出口を開口したことを特徴とする空調システム。
【請求項７】
請求項１乃至請求項６の何れか１項に記載された空調システムにおいて、
前記異物除去機構は、装置ケースの入口部と本体部の仕切り位置に、異物の通過を阻止してドレン水とドレン風の通過を許容するメッシュフィルタを有することを特徴とする空調システム。
【請求項８】
請求項７に記載された空調システムにおいて、
前記異物除去機構は、装置ケースの入口部にドレン水を溜めるドレン水受けを有し、且つ、前記ドレンホースのホース開口端とドレン水受けの開口端との間に隙間を設定し、前記ドレン水受けに溜まったドレン水が許容量を超えると溢流により外部に排出することを特徴とする空調システム。
【請求項９】
請求項８に記載された空調システムにおいて、
前記異物除去機構は、前記ドレンホースのホース開口端からのドレン風を、前記メッシュフィルタの下部に吹き付ける設定としたことを特徴とする空調システム。
【請求項１０】
請求項７に記載された空調システムにおいて、
前記異物除去機構は、ドレンホースのホース開口端部を装置ケースの上面にシールし、ホース開口端を装置ケースの底面に向けて下向きに配置し、
前記ドレンホースのホース開口端の下方のうち、パイプ冷却機構側に装置ケースの底面から途中位置までメッシュフィルタを縦置きに配置し、反対側に装置ケースの底面からメッシュフィルタより高さを低くしたドレン水受けを縦置きに配置し、
前記ドレン水受けからの異物及びドレン水の排出経路を、ラビリンス構造としたことを特徴とする空調システム。
【請求項１１】
請求項７に記載された空調システムにおいて、
前記異物除去機構は、ドレンホースのホース開口端部を装置ケースの側面上部にシールし、ホース開口端を装置ケース内の高圧パイプに向けて横向きに配置し、
前記メッシュフィルタを、前記ドレンホースのホース開口端からドレン水の落下を確保できる間隔を介し、装置ケースの底面から途中位置まで縦置きに配置したことを特徴とする空調システム。
【請求項１２】
請求項１乃至請求項１１の何れか１項に記載された空調システムにおいて、
前記高圧パイプ冷却装置は、装置ケースを銅素材により作成した銅製装置ケースとし、該銅製装置ケース内に配置される高圧パイプのＵ字状屈曲部の表面に樹脂膜をコーティングしたことを特徴とする空調システム。
【請求項１３】
請求項１乃至請求項１１の何れか１項に記載された空調システムにおいて、
前記高圧パイプ冷却装置は、装置ケースを樹脂素材により作成した樹脂製装置ケースとし、該樹脂製装置ケース内の高圧パイプのＵ字状屈曲部と対向する位置に銅板を設置し、該銅板と対向する高圧パイプのＵ字状屈曲部の表面に樹脂膜をコーティングしたことを特徴とする空調システム。
【請求項１４】
請求項１乃至請求項１３の何れか１項に記載された空調システムにおいて、
前記高圧パイプ冷却装置は、装置ケースの出口部に、走行風を集めて高圧パイプに導く一対の導風板を設定したことを特徴とする空調システム。
【発明の詳細な説明】
【技術分野】
【０００１】
本発明は、空調ユニット内のエバポレータから凝縮水として排出されたドレン水をエアコンサイクルの高圧パイプの冷却に使用する空調システムに関する。
【背景技術】
【０００２】
従来、空調システムとして、空調ユニット内のエバポレータから排出されたドレン水をエアコンサイクルの高圧パイプに接触させて熱交換するものが知られている（例えば、特許文献１参照）。
【特許文献１】実開昭５８−４８５２０号公報
【発明の開示】
【発明が解決しようとする課題】
【０００３】
しかしながら、従来の空調システムにあっては、エバポレータで排出されたドレン水を高圧パイプに接触させて冷却する、つまり、ドレン水の顕熱のみを利用する冷却手法であるため、十分冷却された多量のドレン水がなければ、高圧パイプ内の冷媒から熱を奪う効果が少なく、冷房初期時には有効な手段とはいえない、という問題があった。
ここで、「ドレン水の顕熱」とは、液相であるドレン水が相変化なしに蓄えた熱エネルギーのことをいう。
【０００４】
本発明は、上記問題に着目してなされたもので、空調システム作動時、凝縮水の持つ冷熱を有効に利用することにより、冷房初期において素早い冷房ができると共に、動力を必要とせず冷房能力の全体的レベルアップを達成することができる空調システムを提供することを目的とする。
【課題を解決するための手段】
【０００５】
上記目的を達成するため、本発明では、空調ユニット内のエバポレータから凝縮水として排出されたドレン水をエアコンサイクルの高圧パイプの冷却に使用する空調システムにおいて、
前記高圧パイプの途中位置に、空調ユニットに接続されたドレンホースからドレン水とドレン風を導入し、ドレン水の顕熱と蒸発潜熱を利用して高圧パイプを冷却する高圧パイプ冷却装置を設けたことを特徴とする。
【発明の効果】
【０００６】
よって、本発明の空調システムにあっては、高圧パイプの途中位置に設けられた高圧パイプ冷却装置において、空調ユニットに接続されたドレンホースからドレン水とドレン風が導入され、ドレン水の顕熱と蒸発潜熱を利用して高圧パイプが冷却される。
すなわち、空調ユニット内のエバポレータから凝縮水として排出されるドレン水をドレンホースにより導くと、空調ユニット内の送風の一部（ドレン風）をドレン水と共にドレンホースにより導くことができる。
このため、エバポレータから導かれるドレン水の温度が低いときには、ドレン水の顕熱により高圧パイプを冷やす作用を示す。そして、顕熱冷却に用いたドレン水にドレン風を当てて蒸発させ、蒸発時に周りから熱を奪うという蒸発潜熱としてドレン水を再利用することで、ドレン水の蒸発潜熱により高圧パイプを冷やす作用を示す。
しかも、ドレン水とドレン風は、空調システムの起動開始時から導入可能であるため、冷房初期において素早い冷房ができるし、高圧パイプの冷却が、エアコンサイクルのコンデンサ熱交換性能を補完するものとなる。
ここで、「蒸発潜熱」とは、液体の水がその表面から気化するときに、その物体や近くの空気層から奪う熱のことをいう。この蒸発潜熱を用いることで、顕熱の場合よりも桁違いに大きな熱量を奪うことができる。
このように、空調システム作動時、凝縮水の持つ冷熱を有効に利用することにより、冷房初期において素早い冷房ができると共に、動力を必要とせず冷房能力の全体的レベルアップを達成することができる。
【発明を実施するための最良の形態】
【０００７】
以下、本発明の空調システムを実現する最良の形態を、図面に示す実施例１〜実施例６に基づいて説明する。
【実施例１】
【０００８】
まず、構成を説明する。
図１は本発明の空調システムを車両に適用した実施例１の車両用空調システムを示す全体システム図である。図２は実施例１の車両用空調システムにおける高圧パイプ冷却装置を示す斜視図である。図３は実施例１の車両用空調システムにおける高圧パイプ冷却装置を示す図２のＢ−Ｂ線断面図である。図４は実施例１の車両用空調システムにおける高圧パイプ冷却装置を示す図３のＡ方向矢視図である。
【０００９】
実施例１における車両用空調システムのエアコンサイクルは、コンプレッサ１と、コンデンサ２と、リキッドタンク３と、エキスパンションバルブ４と、エバポレータ５と、これらの構成要素を循環して流れる冷媒を有して構成される。
【００１０】
前記コンプレッサ１は、エバポレータ３により熱を奪って気化した冷媒を、出口側低圧パイプ６を介して導き、高温高圧に圧縮する。前記コンデンサ２は、コンプレッサ１からの高温高圧冷媒を、走行風等により放熱して液化し、液化冷媒とする。前記リキッドタンク３は、コンデンサ２からの液化冷媒から、水分やゴミを除去する。前記エキスパンションバルブ４は、リキッドタンク３から高圧パイプ７を介して送られる液化冷媒を、低温低圧の霧状冷媒とする。前記エバポレータ５は、エキスパンションバルブ４から入口側低圧パイプ８を介して導かれる霧状冷媒が周囲から熱を奪って気化し、ガス状の冷媒とし、再び、出口側低圧パイプ６を介してコンプレッサ１に戻す。
【００１１】
実施例１における車両用空調システムは、図１に示すように、空調ユニット１０と、送風口１１と、クリーンフィルタ１２と、ダッシュパネル１３と、パイプシール材１４と、ドレンホース１５と、車室１６と、エンジンルーム１７（パワーユニットルーム）と、高圧パイプ冷却装置１８Ａと、を備えている。
【００１２】
前記空調ユニット１０は、ユニット内部に、上流側から下流側に向かって順に、送風口１１と、クリーンフィルタ１２と、エバポレータ５が配置されている。前記送風口１１には、図外のブロワユニットから外気または内気によるファン風が送られる。
【００１３】
前記ダッシュパネル１３は、空調ユニット１０を配置する車室１６と、コンプレッサ１、コンデンサ２、リキッドタンク３、高圧パイプ冷却装置１８Ａを配置するエンジンルーム１７と、を区画する位置に設定される。
【００１４】
前記ドレンホース１５は、図１に示すように、一端を空調ユニット１０のドレン排出口１９に接続し、ダッシュパネル１３のドレン排出口１９に近いパネル位置を貫通し、他端であるホース開口端１５ａをエンジンルーム１７内に配置している。
【００１５】
前記高圧パイプ７は、図１に示すように、前記ホース開口端１５ａに近接する位置にてＵ字状に屈曲させたＵ字状屈曲部７ａを形成している。
【００１６】
前記高圧パイプ冷却装置１８Ａは、図１に示すように、前記ドレンホース１５のホース開口端１５ａを装置ケース２０の入口部に臨ませて配置し、リキッドタンク３からの冷媒の流れがケース出口側からケース入口側となる高圧パイプ７のＵ字状屈曲部７ａを装置ケース２０内に配置している。
【００１７】
実施例１の車両用空調システムは、空調ユニット１０内のエバポレータ５から凝縮水として排出されたドレン水をエアコンサイクルのリキッドタンク３とエキスパンションバルブ４を接続する高圧パイプ７の冷却に使用するものである。このため、高圧パイプ７の途中位置に、空調ユニット１０に接続されたドレンホース１５からドレン水とドレン風を導入し、ドレン水の顕熱と蒸発潜熱を利用して高圧パイプ７を冷却する高圧パイプ冷却装置１８Ａを設けている。
【００１８】
前記高圧パイプ冷却装置１８Ａは、図２及び図３に示すように、装置ケース２０の本体部に備えた高圧パイプ７を冷却するパイプ冷却機構181と、装置ケース２０の入口部に備えたドレン水に含まれる異物を外部に除去する異物除去機構182を有する。
【００１９】
前記パイプ冷却機構181は、図３及び図４に示すように、装置ケース２０のケース側面位置に、高圧パイプ７を浸漬するドレン水を一定水位までに保持するドレン水排出口２１を開口している。なお、ドレン水排出口２１に連通する装置ケース２０のケース側面位置からケース底面位置にかけては、図３及び図４に示すように、ドレン水を排出案内するドレン水案内突条２６が形成されている。
【００２０】
前記パイプ冷却機構181は、図２〜図４に示すように、高圧パイプ７のＵ字状屈曲部７ａを装置ケース２０のケース底面に沿って配置し、前記Ｕ字状屈曲部７ａのうち、ケース底面に沿った水平部分から、ケース側面に沿って立ち上がる出口側垂直部分までのドレン風を受ける範囲にスポンジ２２（微細通孔材）を巻き付けている。このスポンジ２２は、Ｕ字状屈曲部７ａの出口側垂直部分に対し、装置ケース２０の入口部よりも高い位置まで巻き付けている。
【００２１】
前記パイプ冷却機構181は、図２及び図３に示すように、装置ケース２０のケース上面位置に、高圧パイプ７のＵ字状屈曲部７ａに巻き付けたスポンジ２２に沿ってドレン風を当てるように、ドレンホース１５から導入されるドレン風の流れを規定するドレン風出口２３を開口している。
【００２２】
前記異物除去機構182は、図２及び図３に示すように、装置ケース２０の入口部と本体部の仕切り位置に、異物の通過を阻止しドレン水とドレン風の通過を許容するメッシュフィルタ２４を有する構成としている。
【００２３】
前記異物除去機構182は、図３に示すように、装置ケース２０の入口部にドレン水を溜めるドレン水受け２５を有し、且つ、前記ドレンホース１５のホース開口端１５ａとドレン水受け２５の開口端２５ａとの間に隙間ｔを設定し、前記ドレン水受け２５に溜まったドレン水が許容量を超えると溢流により外部に排出するようにしている。
【００２４】
前記異物除去機構182は、図３に示すように、前記ドレンホース１５のホース開口端１５ａからのドレン風を、前記メッシュフィルタ２４の下部に吹き付ける設定としている。
【００２５】
次に、作用を説明する。
実開昭58-48520号公報に明記される構造において、エバポレータで排出されたドレン水を高圧配管に接触させて冷却する方法では、十分冷却された多量のドレン水がなければ効果が少なく、冷房初期時には有効な手段とはいえなかった。
また、ドレン水は外気や内気の塵、埃、ゴミを含んでおり、パイプとドレン水の熱交換器中にそれが蓄積されるため最終的にドレン詰まりを起こす可能性があった。
以上より、上記凝縮熱利用システムは効果の不十分さと信頼性の問題から実際の車両に搭載するのは困難であった。
【００２６】
これに対し、本発明者は、空調ユニットに接続したドレンホースにより、ドレン水ばかりでなくドレン風も導くことができる点に着目し、ドレン水（凝縮水）をドレン排出口に近いエンジンルーム内に集め、ドレン水の顕熱ばかりでなくドレン水を蒸発させたときの蒸発潜熱も利用し高圧パイプ７を冷却する構成を採用した。
【００２７】
また、ゴミ詰まりの問題を解決するため、ゴミはフィルタで除去し、またフィルタの目詰まりを防ぐためゴミは車外に排出する構成を採用した。
【００２８】
以下、［ドレン水の流れ作用］、［ドレン風の流れ作用］、［ドレン水の顕熱と蒸発潜熱による高圧パイプ冷却作用］、［ドレン水の車室内逆流防止作用］、［フィルタ手前の沈殿物除去作用］について説明する。
【００２９】
［ドレン水の流れ作用］
図５は実施例１の車両用空調システムの高圧パイプ冷却装置１８Ａにおけるドレン水の流れ作用説明図である。
高圧パイプ冷却装置１８Ａにおけるドレン水の流れは、図５に示すように、ドレンホース１５のホース開口端１５ａから排出されたドレン水は、高圧パイプ冷却装置１８Ａの回収口であるドレン水受け２５に落ちる。そして、メッシュフィルタ２４により濾過され、高圧パイプ冷却装置１８Ａ内に流入する。そして、高圧パイプ冷却装置１８Ａ内でドレン水は、ドレン水排出口２１により規定される水位まで保持される。そして、高圧パイプ冷却装置１８Ａ内の高圧パイプ７のＵ字状屈曲部７ａには、スポンジ２２が巻き付けてあるため、毛細管現象によりドレン水は冷媒の上流側に吸い上げられ、ドレン水受け２５の反対側から排出されることになる。
【００３０】
このように、ドレン水排出口２１によりドレン水の水位を一定水位まで保持するため、高圧パイプ７のＵ字状屈曲部７ａから熱を受けて温度が上昇した表面側のドレン水は、図５に示すように、ドレン水の供給量に応じ、ドレン水排出口２１からドレン水案内突条２６を経過して外部に排水される。このように、ドレン水の入れ替えを随時行うようにしたため、高圧パイプ冷却装置１８Ａ内に高温となったドレン水をそのまま溜めておく場合に比べ、ドレン水と高圧パイプ７内の冷媒との熱交換効率が向上する。
【００３１】
また、実施例１では、高圧パイプ７のＵ字状屈曲部７ａのうち、ケース底面に沿った水平部分からケース側面に沿って立ち上がる出口側垂直部分までの範囲に、毛細管現象を発揮するスポンジ２２を巻き付けているため、Ｕ字状屈曲部７ａにスポンジ２２を巻き付けない場合に比べ、ドレン水による濡れ部分が拡大し、より長い範囲で熱交換可能となる。
【００３２】
［ドレン風の流れ作用］
図６は実施例１の車両用空調システムの高圧パイプ冷却装置１８Ａにおけるドレン風の流れ作用説明図である。
高圧パイプ冷却装置１８Ａにおけるドレン風（ドレン空気）の流れは、ドレンホース１５のホース開口端１５ａから冷却装置の回収口に排出されたドレン風は、メッシュフィルタ２４を通り、スポンジ２２に吹き付けられる。このとき低温のドレン風は、図６の矢印Ｃにおいて、周辺の高温空気から熱を貰い、相対湿度の低い空気となる。そして、装置ケース２０にはドレン風出口２３を開口しているため、図６の矢印Ｄに示すように、スポンジ２２の上部に至ったドレン風は、周りから空気を取り込みつつ、スポンジ２２からの水の蒸発を促進させ、気化熱を回収して反対側に抜けてゆく。
【００３３】
このように、ドレンホース１５から漏れ出るドレン風を、相対湿度を低い空気にすると共に風量を増したドレン風に変貌させながら、高圧パイプ７のＵ字状屈曲部７ａに巻き付けたスポンジ２２に当てることにより、スポンジ２２からの水の蒸発を促進させ、その気化熱を有効に回収することができる。
【００３４】
［ドレン水の顕熱と蒸発潜熱による高圧パイプ冷却作用］
まず、空調ユニット１０内のエバポレータ５から凝縮水として排出されるドレン水をドレンホース１５により導くと、空調ユニット１０内の送風の一部（ドレン風）をドレン水と共にドレンホース１５により導くことができる。
【００３５】
そこで、実施例１の空調システムにあっては、高圧パイプ冷却装置１８Ａを高圧パイプ７の途中位置に設け、高圧パイプ冷却装置１８Ａに、空調ユニット１８に接続されたドレンホース１５からドレン水とドレン風を導入することで、ドレン水の顕熱と蒸発潜熱を利用して高圧パイプ７を冷却する。
【００３６】
すなわち、エバポレータ５から導かれるドレン水の温度が低いときには、上記ドレン水の流れ作用にしたがって、ドレン水の顕熱により高圧パイプ７を冷やす顕熱冷却作用を示す。そして、顕熱冷却に用いたスポンジ２２に含まれるドレン水の温度が高くなると、上記ドレン風の流れ作用にしたがって、スポンジ２２にドレン風を当てて蒸発させ、蒸発時に周りから熱を奪うという蒸発潜熱としてドレン水を再利用することで、ドレン水の蒸発潜熱により高圧パイプを冷やす蒸発潜熱冷却作用を示す。つまり、ドレン水の温度が低いときの冷房効果の向上は勿論のこと、一度溜めたドレン水の蒸発潜熱を再利用することで大幅に冷房効果を向上させることができる。
【００３７】
このように、液体の水がその表面から気化するときに、その物体や近くの空気層から奪う「蒸発潜熱」を用いることで、顕熱の場合よりも桁違いに大きな熱量を奪って放熱を行うことができる。この点は、例えば、水の場合、１℃だけ変化する顕熱は、１カロリー/gであるのに対し、その値は水温で異なるが、水温０〜30℃の範囲では、水１gが蒸発するときの潜熱は、580〜590カロリー/gであることからも明らかである。
【００３８】
しかも、ドレン水とドレン風は、空調システムの起動開始時から導入可能であるため、冷房初期において素早い冷房ができる。例えば、真夏の短時間の駐車だと、走行風によるコンデンサでの高い熱交換性能が望めないが、エアコン起動時から高圧パイプ７の冷却が可能であるため、素早い冷房ができる。
【００３９】
さらに、高圧パイプ７の冷却は、本来捨てられていたドレン水とドレン風を利用するものであるため、特に動力を必要とせず、エアコンサイクルのコンデンサ熱交換性能を補完するものとなる。
ちなみに、図７に実施例１の車両用空調システムでのエアコンサイクルによるモリエル線図を示す。このモリエル線図で、ａ〜ｂはコンプレッサ１による圧縮特性で、ｂ〜ｃはコンデンサ２及びリキッドタンク３による定圧放熱特性を示す。そして、ｃ〜ｄが高圧パイプ冷却装置１８Ａによる冷却特性（定圧放熱追加特性）を示し、ｄ〜ｅはエキスパンションバルブ４による膨張作用を示す。したがって、高圧パイプ冷却装置１８Ａを持たないエアコンサイクルの場合、エバポレータ５での最大吸熱量はｆ〜ａであるのに対し、高圧パイプ冷却装置１８Ａを採用したことで、エバポレータ５での最大吸熱量はｅ〜ａと拡大し、ｅ〜ｆがエバポレータ吸熱量の増加代（効果代）となる。
【００４０】
［ドレン水の車室内逆流防止作用］
実施例１の高圧パイプ冷却装置１８Ａでは、メッシュフィルタ２４を設置することにより、ドレンホース１５から排出されるゴミ等を除去し、高圧パイプ冷却装置１８Ａ内にゴミ等が溜まるのを防ぐようにしている。
【００４１】
つまり、メッシュフィルタ２４により、ゴミ等を受け止めているため、メッシュフィルタ２４の目にゴミ等が詰まった場合、図８に示すように、ドレン水受け２５にドレン水が溜まることになる。このとき、ドレン水受けに溜まっているドレン水に浸るまでドレンホースのホース開口端を延ばすと、圧力差によりドレン水受けに溜まっているドレン水がドレンホースを逆流し、空調ユニットに戻る。
【００４２】
これに対し、実施例１では、図８に示すように、ドレンホース１５のホース開口端１５ａとドレン水受け２５の開口端２５ａとの間に隙間ｔを設けているため、ドレン水受け２５に溜まったドレン水が許容量を超えると溢流により外部に排出する。
【００４３】
したがって、仮に高圧パイプ冷却装置１８Ａ内にゴミ詰まり等の不具合が生じたときにもドレン水排出機能自体は問題なく、確実に水を車室外に排出することができる。そして、仮にメッシュフィルタ２４が完全に目詰まりを起こしても、エアコンの機能自体には悪影響を与えない。
【００４４】
［フィルタ手前の沈殿物除去作用］
実施例１の高圧パイプ冷却装置１８Ａでは、メッシュフィルタ２４により、ゴミ等を受け止めているため、メッシュフィルタ２４に濾過されたゴミ等がドレン水受けに沈殿し、沈殿物となって堆積してゆく。
【００４５】
これに対し、実施例１では、ドレンホース１５のホース開口端１５ａからのドレン風を、メッシュフィルタ２４の下部に吹き付ける設定としているため、図９に示すように、ドレン風をフィルタ下部に吹きつけることにより、メッシュフィルタ２４の手前に溜まったゴミ等の沈殿物を高圧パイプ冷却装置１８Ａ外に排出することができる。
【００４６】
次に、効果を説明する。
実施例１の車両用空調システムにあっては、下記に列挙する効果を得ることができる。
【００４７】
(1) 空調ユニット１０内のエバポレータ５から凝縮水として排出されたドレン水をエアコンサイクルの高圧パイプ７の冷却に使用する車両用空調システムにおいて、前記高圧パイプ７の途中位置に、空調ユニット１０に接続されたドレンホース１５からドレン水とドレン風を導入し、ドレン水の顕熱と蒸発潜熱を利用して高圧パイプ７を冷却する高圧パイプ冷却装置１８Ａを設けたため、空調システム作動時、凝縮水の持つ冷熱を有効に利用することにより、冷房初期において素早い冷房ができると共に、動力を必要とせず冷房能力の全体的レベルアップを達成することができる。
【００４８】
(2) 前記ドレンホース１５は、一端を空調ユニット１０のドレン排出口１９に接続し、ダッシュパネル１３のドレン排出口１９に近いパネル位置を貫通し、他端であるホース開口端１５ａをエンジンルーム１７内に配置し、前記高圧パイプ７は、前記ホース開口端１５ａに近接する位置にてＵ字状に屈曲させたＵ字状屈曲部７ａを形成し、前記高圧パイプ冷却装置１８Ａは、前記ドレンホース１５のホース開口端１５ａを装置ケース２０の入口部に臨ませて配置し、リキッドタンク３からの冷媒の流れがケース出口側からケース入口側となる高圧パイプ７のＵ字状屈曲部７ａを装置ケース２０内に配置したため、ドレン水の温度が低いときの冷房効果の向上は勿論のこと、真夏の短時間駐車時等において、エアコン起動時からの素早い冷房を行えるというように、車両へ搭載するのに十分な冷房効果の向上代を持つ車両用空調システムを提供することができる。
【００４９】
(3) 前記高圧パイプ冷却装置１８Ａは、装置ケース２０の本体部に備えた高圧パイプ７を冷却するパイプ冷却機構181と、装置ケース２０の入口部に備えたドレン水に含まれる異物を外部に除去する異物除去機構182を有するため、車両へ搭載する際に要求される十分な冷房能力の向上という条件と、ドレン水に含まれる異物の影響を排除による信頼性確保という条件と、の両立を達成することができる。
【００５０】
(4) 前記パイプ冷却機構181は、装置ケース２０のケース側面位置に、高圧パイプ７を浸漬するドレン水を一定水位までに保持するドレン水排出口２１を開口したため、ドレン水と高圧パイプ７内の冷媒との熱交換効率を向上させることができる。
【００５１】
(5) 前記パイプ冷却機構181は、高圧パイプ７のＵ字状屈曲部７ａを装置ケース２０のケース底面に沿って配置し、前記Ｕ字状屈曲部７ａのうち、ケース底面に沿った水平部分から、ケース側面に沿って立ち上がる出口側垂直部分までのドレン風を受ける範囲にスポンジ２２を巻き付けたため、毛細管現象の発揮によりドレン水による濡れ部分の拡大が図られ、より長い範囲で熱交換を行うことができる。
【００５２】
(6) 前記パイプ冷却機構181は、装置ケース２０のケース上面位置に、高圧パイプ７のＵ字状屈曲部７ａに巻き付けたスポンジ２２に沿ってドレン風を当てるように、ドレンホース１５から導入されるドレン風の流れを規定するドレン風出口２３を開口したため、ドレンホース１５からのドレン風を、相対湿度の低い空気にすると共に風量を増し、スポンジ２２からの水の蒸発を促進させ、その気化熱を有効に回収することができる。
【００５３】
(7) 前記異物除去機構182は、装置ケース２０の入口部と本体部の仕切り位置に、異物の通過を阻止しドレン水とドレン風の通過を許容するメッシュフィルタ２４を有するため、ドレン水に含まれるゴミ等を除去し、高圧パイプ冷却装置１８Ａ内にゴミ等の異物が溜まることを防止することができる。
【００５４】
(8) 前記異物除去機構182は、装置ケース２０の入口部にドレン水を溜めるドレン水受け２５を有し、且つ、前記ドレンホース１５のホース開口端１５ａとドレン水受け２５の開口端２５ａとの間に隙間ｔを設定し、前記ドレン水受け２５に溜まったドレン水が許容量を超えると溢流により外部に排出するため、仮に高圧パイプ冷却装置１８Ａ内にゴミ詰まり等の不具合が生じたときにもドレン水排出機能自体は問題なく、確実に水を車室外に排出することができるし、仮にメッシュフィルタ２４が完全に目詰まりを起こしても、エアコンの機能自体には悪影響を与えない。
【００５５】
(9) 前記異物除去機構182は、前記ドレンホース１５のホース開口端１５ａからのドレン風を、前記メッシュフィルタ２４の下部に吹き付ける設定としたため、メッシュフィルタ２４の手前に溜まったゴミ等の沈殿物を高圧パイプ冷却装置１８Ａ外に排出することができる。
【実施例２】
【００５６】
実施例２は、実施例１より多くのドレン風を高圧パイプに導き、高圧パイプの冷却の効率化を図るようにした例である。
【００５７】
まず、構成を説明する。
図１０は実施例２の車両用空調システムにおける高圧パイプ冷却装置を示す縦断面図である。
【００５８】
実施例２の高圧パイプ冷却装置１８Ｂの異物除去機構182は、図１０に示すように、ドレンホース１５のホース開口端部を装置ケース２０の上面にシールし、ホース開口端１５ａを装置ケース２０の底面に向けて下向きに配置している。
【００５９】
そして、前記ドレンホース１５のホース開口端１５ａの下方のうち、パイプ冷却機構181側に装置ケース２０の底面から途中位置までメッシュフィルタ２４を縦置きに配置し、反対側に装置ケース２０の底面からメッシュフィルタ２４より高さを低くしたドレン水受け２５を縦置きに配置している。そして、前記ドレン水受け２５からの異物及びドレン風の排出経路を、蛇行経路によるラビリンス構造２７としている。このラビリンス構造２７は、装置ケース２０のみによって構成されていて、装置ケース２０から一体に立ち上げたドレン水受け２５によるＬ字断面に対し、該ドレン水受け２５の外側位置に装置ケース２０の側面部を平行配置で途中まで垂下した逆Ｌ字断面を組み合わせることで形成している。
【００６０】
そして、ドレン水の蒸発部は、実施例１のスポンジ２２に代え、毛細管現象を起こし易い繊維質素材２２’（微細通孔材）を用いている。この場合、ケース側面に沿って立ち上がっている出口側垂直部分の最適長さｈは、繊維質素材２２’の選択に応じて変わる。また、高圧パイプ冷却装置１８Ｂのパイプ冷却機構181のうち、繊維質素材２２’以外の構成は、実施例１と同様であるので、対応する構成に同一符号を付して説明を省略する。
【００６１】
作用については、この実施例２では、ドレン風を、実施例１より多く高圧パイプ７を冷却するために導くことができる。その理由は、
・ドレンホース１５のホース開口端部を装置ケース２０の上面にシールしているため、実施例１のようなオープンエリアに吹き付けるようにドレン風が周囲へ漏れることがなく、ドレンホース１５からの全てのドレン風を、一旦、高圧パイプ冷却装置１８Ｂ内に導入することができる、
・ドレン水受け２５からの異物及びドレン風の排出経路を、蛇行経路によるラビリンス構造２７としているため、異物除去機構182からのドレン風の漏れ量を最小限に抑えることができる、
・装置ケース２０の底面から途中位置までメッシュフィルタ２４を縦置きに配置したため、メッシュフィルタ２４の上端位置と装置ケース２０との間の空間を、通風抵抗の無いドレン風通路として使うことができる、
ということによる。なお、他の作用については実施例１と同様であるので、説明を省略する。
【００６２】
次に、効果を説明する。
実施例２の車両用空調システムにあっては、実施例１の(1)〜(7)の効果に加え、下記の効果を得ることができる。
【００６３】
(10) 前記異物除去機構182は、ドレンホース１５のホース開口端部を装置ケース２０の上面にシールし、ホース開口端１５ａを装置ケース２０の底面に向けて下向きに配置し、前記ドレンホース１５のホース開口端１５ａの下方のうち、パイプ冷却機構181側に装置ケース２０の底面から途中位置までメッシュフィルタ２４を縦置きに配置し、反対側に装置ケース２０の底面からメッシュフィルタ２４より高さを低くしたドレン水受け２５を縦置きに配置し、前記ドレン水受け２５からの異物及びドレン風の排出経路をラビリンス構造２７としたため、ドレンホース１５からのドレン風を、実施例１より多く高圧パイプ７を冷却するために導くことで、蒸発潜熱による放熱効果を高めることができる。
【実施例３】
【００６４】
実施例３は、ドレン風を積極的に高圧パイプの方向へ流し、高圧パイプの冷却の効率化を図るようにした例である。
【００６５】
まず、構成を説明する。
図１１は実施例３の車両用空調システムにおける高圧パイプ冷却装置の異物除去機構を示す縦断面図である。
【００６６】
実施例３の高圧パイプ冷却装置１８Ｃの異物除去機構182は、図１１に示すように、ドレンホース１５のホース開口端部を装置ケース２０の側面上部にシールし、ホース開口端１５ａを装置ケース２０内の高圧パイプ７に向けて横向きに配置している。
【００６７】
そして、メッシュフィルタ２４を、前記ドレンホース１５のホース開口端１５ａからドレン水の落下を確保できる間隔Ｌを介し、装置ケース２０の底面から途中位置まで縦置きに配置している。なお、図１１において、２８は、装置ケース２０に開穴された水受け穴であり、この水受け穴２８により、メッシュフィルタ２４と装置ケース２０で囲まれる部分がドレン水受けとされる。他の構成は、実施例１と同様であるので、対応する構成に同一符号を付して説明を省略する。
【００６８】
作用については、この実施例３では、ドレン風を積極的に高圧パイプ７の方向へ吹き付けることができる。その理由は、
・ドレンホース１５のホース開口端部を装置ケース２０の側面上部にシールしているため、実施例１のようなオープンエリアに吹き付けるようにドレン風が周囲へ漏れることがなく、ドレンホース１５からの全てのドレン風を、一旦、高圧パイプ冷却装置１８Ｂ内に導入することができる、
・ホース開口端１５ａを装置ケース２０内の高圧パイプ７に向けて横向きに配置しているため、ドレン風の流れ方向を変えることなく、効率的に高圧パイプ７にドレン風を吹き付けることができる、
・装置ケース２０の底面から途中位置までメッシュフィルタ２４を縦置きに配置したため、メッシュフィルタ２４の上端位置と装置ケース２０との間の空間を、通風抵抗の無いドレン風通路として使うことができる、
ということによる。なお、他の作用については実施例１と同様であるので、説明を省略する。
【００６９】
次に、効果を説明する。
実施例３の車両用空調システムにあっては、実施例１の(1)〜(7)の効果に加え、下記の効果を得ることができる。
【００７０】
(11) 前記異物除去機構182は、ドレンホース１５のホース開口端部を装置ケース２０の側面上部にシールし、ホース開口端１５ａを装置ケース２０内の高圧パイプ７に向けて横向きに配置し、メッシュフィルタ２４を、前記ドレンホース１５のホース開口端１５ａからドレン水の落下を確保できる間隔Ｌを介し、装置ケース２０の底面から途中位置まで縦置きに配置したため、ドレン風を積極的に高圧パイプ７の方向へ吹き付けることで、蒸発潜熱による放熱効果を高めることができる。
【実施例４】
【００７１】
実施例４は、貯留水の腐敗防止と高圧パイプ冷却装置の電位差腐蝕を防止するようにした例である。
【００７２】
まず、構成を説明する。
図１２は実施例４の車両用空調システムにおける高圧パイプ冷却装置を示す斜視図である。図１３は実施例４の車両用空調システムにおける高圧パイプ冷却装置を示す図１２のＢ−Ｂ線による縦断面図である。
【００７３】
実施例４の高圧パイプ冷却装置１８Ｄは、図１２及び図１３に示すように、装置ケースを銅素材により作成した銅製装置ケース２０’とし、該銅製装置ケース２０’内に配置される高圧パイプ７のＵ字状屈曲部７ａの表面に樹脂膜７１をコーティングしている。
なお、他の構成は実施例１と同様であるので、対応する構成に同一符号を付して説明を省略する。
【００７４】
次に、作用を説明する。
本発明のように、エバポレータ５から排出された凝縮水をエアコンサイクルの高圧パイプ７の冷却に使用する方法では、頻繁にエアコン運転を行う場合、装置ケース内に凝縮水が貯留したままとなることはない。しかし、長時間にわたってエアコン運転をしない場合、装置ケース内に凝縮水が貯留したままとなり、水が腐り、雑菌が繁殖して腐敗臭を出してしまうおそれがある。そこで、装置ケースに殺菌作用を持つ銅素材を採用すると、貯留水の腐敗を防止することができるが、装置ケース（銅）と高圧パイプ７（アルミ合金）との間で電位差腐蝕が生じてしまう。
【００７５】
そこで、実施例４では、装置ケースを銅製装置ケース２０’とし、該銅製装置ケース２０’内に配置される高圧パイプ７のＵ字状屈曲部７ａの表面に樹脂膜７１をコーティングする構成を採用した。
【００７６】
したがって、図１３に示すように、効果的な冷却を行うために銅製装置ケース２０’内に水を貯留しても、同素材が持つ殺菌作用により、貯留水Ｗの腐敗を防止することができる。さらに、高圧パイプ７のＵ字状屈曲部７ａの表面には、樹脂膜７１によるコーティングを施したことにより、銅製装置ケース２０’と高圧パイプ７の間での電位差腐蝕を防止することができる。なお、他の作用については実施例１と同様であるので、説明を省略する。
【００７７】
次に、効果を説明する。
実施例４の車両用空調システムにあっては、実施例１の(1)〜(7)の効果に加え、下記の効果を得ることができる。
【００７８】
(12) 前記高圧パイプ冷却装置１８Ｄは、装置ケースを銅素材により作成した銅製装置ケース２０’とし、該銅製装置ケース２０’内に配置される高圧パイプ７のＵ字状屈曲部７ａの表面に樹脂膜７１をコーティングしたため、貯留水Ｗの腐敗を防止することができると共に、銅製装置ケース２０’と高圧パイプ７の間での電位差腐蝕を防止することができる。
【実施例５】
【００７９】
実施例５は、高圧パイプ冷却装置の軽量化を図りながら、実施例４と同様に、貯留水の腐敗防止と高圧パイプ冷却装置の電位差腐蝕を防止するようにした例である。
【００８０】
まず、構成を説明する。
図１４は実施例５の車両用空調システムにおける高圧パイプ冷却装置を示す縦断面図である。
【００８１】
実施例５の高圧パイプ冷却装置１８Ｅは、図１４に示すように、装置ケースを樹脂素材により作成した樹脂製装置ケース２０”とし、該樹脂製装置ケース２０”内の高圧パイプ７のＵ字状屈曲部７ａと対向する位置に銅板２９を設置し、該銅板２９と対向する高圧パイプ７のＵ字状屈曲部７ａの表面に樹脂膜７１をコーティングしている。
なお、他の構成は実施例１と同様であるので、対応する構成に同一符号を付して説明を省略する。
【００８２】
次に、作用を説明する。
実施例４のように、装置ケースの全体を銅製とすると、高圧パイプ冷却装置の重量増を招く。そこで、実施例５では、装置ケースを、軽量であり、加工も容易な樹脂製装置ケース２０”のままとし、該樹脂製装置ケース２０”内に銅板２９を設置し、かつ、高圧パイプ７のＵ字状屈曲部７ａの表面に樹脂膜７１をコーティングする構成を採用した。
【００８３】
したがって、図１４に示すように、効果的な冷却を行うために樹脂製装置ケース２０”内に水を貯留しても、内部に設置した銅板２９が持つ殺菌作用により、貯留水Ｗの腐敗を防止することができる。さらに、高圧パイプ７のＵ字状屈曲部７ａの表面には、樹脂膜７１によるコーティングを施したことにより、銅板２９と高圧パイプ７の間での電位差腐蝕を防止することができる。なお、他の作用については実施例１と同様であるので、説明を省略する。
【００８４】
次に、効果を説明する。
実施例５の車両用空調システムにあっては、実施例１の(1)〜(7)の効果に加え、下記の効果を得ることができる。
【００８５】
(13) 前記高圧パイプ冷却装置１８Ｅは、装置ケースを樹脂素材により作成した樹脂製装置ケース２０”とし、該樹脂製装置ケース２０”内の高圧パイプ７のＵ字状屈曲部７ａと対向する位置に銅板２９を設置し、該銅板２９と対向する高圧パイプ７のＵ字状屈曲部７ａの表面に樹脂膜７１をコーティングしたため、必要最小限の重量増加としながら、貯留水Ｗの腐敗を防止することができると共に、銅板２９と高圧パイプ７の間での電位差腐蝕を防止することができる。
【実施例６】
【００８６】
実施例６は、車両の走行風を有効に取り込むことで、高圧パイプ冷却を、実施例１〜５に比べてより促進させるようにした例である。
【００８７】
まず、構成を説明する。
図１５は実施例６の車両用空調システムにおける高圧パイプ冷却装置を示す斜視図である。
【００８８】
実施例６の高圧パイプ冷却装置１８Ｆは、図１５に示すように、実施例４と同様に、装置ケースを銅素材により作成した銅製装置ケース２０’とし、該銅製装置ケース２０’内に配置される高圧パイプ７のＵ字状屈曲部７ａの表面に樹脂膜７１をコーティングしている。そして、銅製装置ケース２０’の出口部に、図１５に示すように、走行風を集めて高圧パイプ７に導く一対の導風板３０，３０を設定している。
なお、他の構成は実施例１と同様であるので、対応する構成に同一符号を付して説明を省略する。
【００８９】
次に、作用を説明する。
本発明のように、露出しているスポンジ２２からの水の蒸発を促進させ、その気化熱を有効に回収するというように、蒸発潜熱を利用して高圧パイプ７を冷却する場合、風量が多い方がより効果的に冷却できる。
【００９０】
そこで、実施例６では、ドレンホース１５からのドレン風に加え、走行風を有効に利用するべく、銅製装置ケース２０’の出口部に、走行風を集めて高圧パイプ７に導く一対の導風板３０，３０を設定する構成を採用した。
【００９１】
したがって、スポンジ２２からの水の蒸発を促進する風として、ドレン風に走行風が加わることで、露出しているスポンジ２２からの水の蒸発が著しく促進され、蒸発潜熱を利用しての高圧パイプ冷却をより効果的に行うことができる。
なお、他の作用については実施例１及び実施例４と同様であるので、説明を省略する。
【００９２】
次に、効果を説明する。
実施例６の車両用空調システムにあっては、実施例１の(1)〜(7)の効果、及び、実施例４の(12)の効果に加え、下記の効果を得ることができる。
【００９３】
(14) 前記高圧パイプ冷却装置１８Ｆは、銅製装置ケース２０’の出口部に、走行風を集めて高圧パイプ７に導く一対の導風板３０，３０を設定したため、露出しているスポンジ２２からの水の蒸発が著しく促進され、蒸発潜熱を利用しての高圧パイプ冷却をより効果的に行うことができる。
【００９４】
以上、本発明の空調システムを実施例１〜実施例６に基づき説明してきたが、具体的な構成については、これらの実施例に限られるものではなく、特許請求の範囲の各請求項に係る発明の要旨を逸脱しない限り、設計の変更や追加等は許容される。
【００９５】
実施例１〜６では、高圧パイプにスポンジ等を巻き付け、毛細管現象によりドレン水を広い範囲で吸い上げるという水の流れと、高圧パイプのスポンジ等にドレン風や走行風を吹き付けるという風の流れとが相俟って気化熱を回収するという好ましい例を示した。しかし、高圧パイプにフィン等を設けたり、ドレン水の攪拌手段等を設けたりし、ドレン水の蒸発を促すようにしても良い。要するに、高圧パイプの途中位置に、空調ユニットに接続されたドレンホースからドレン水とドレン風を導入し、ドレン水の顕熱と蒸発潜熱を利用して高圧パイプを冷却する高圧パイプ冷却装置を設けたものであれば、実施例１〜６に限られることはない。
【産業上の利用可能性】
【００９６】
実施例１〜６では、ドレン風と共に走行風を利用できる車両へ搭載される車両用空調システムへの適用例を示したが、家庭用エアコンや事業所用エアコン等へも適用できる。要するに、空調ユニット内のエバポレータから凝縮水としてドレン水が排出される空調システムであれば、排出されるドレン水をエアコンサイクルの高圧パイプの冷却に使用する本発明を適用できる。
【図面の簡単な説明】
【００９７】
【図１】本発明の空調システムを車両に適用した実施例１の車両用空調システムを示す全体システム図である。
【図２】実施例１の車両用空調システムにおける高圧パイプ冷却装置を示す斜視図である。
【図３】実施例１の車両用空調システムにおける高圧パイプ冷却装置を示す図２のＢ−Ｂ線断面図である。
【図４】実施例１の車両用空調システムにおける高圧パイプ冷却装置を示す図３のＡ方向矢視図である。
【図５】実施例１の車両用空調システムの高圧パイプ冷却装置１８Ａにおけるドレン水の流れ作用説明図である。
【図６】実施例１の車両用空調システムの高圧パイプ冷却装置１８Ａにおけるドレン風の流れ作用説明図である。
【図７】実施例１の車両用空調システムにおけるエンタルピと圧力の関係を表すモリエル線図である。
【図８】実施例１の車両用空調システムの高圧パイプ冷却装置１８Ａにおけるドレン水の車室内逆流防止作用の説明図である。
【図９】実施例１の車両用空調システムの高圧パイプ冷却装置１８Ａにおけるフィルタ手前の沈殿物除去作用の説明図である。
【図１０】実施例２の車両用空調システムにおける高圧パイプ冷却装置を示す縦断面図である。
【図１１】実施例３の車両用空調システムにおける高圧パイプ冷却装置の異物除去機構を示す縦断面図である。
【図１２】実施例４の車両用空調システムにおける高圧パイプ冷却装置を示す斜視図である。
【図１３】実施例４の車両用空調システムにおける高圧パイプ冷却装置を示す図１２のＢ−Ｂ線による縦断面図である。
【図１４】実施例５の車両用空調システムにおける高圧パイプ冷却装置を示す縦断面図である。
【図１５】実施例６の車両用空調システムにおける高圧パイプ冷却装置を示す斜視図である。
【符号の説明】
【００９８】
１  コンプレッサ
２  コンデンサ
３  リキッドタンク
４  エキスパンションバルブ
５  エバポレータ
６  出口側低圧パイプ
７  高圧パイプ
７ａ  Ｕ字状屈曲部
１０  空調ユニット
１１  送風口
１２  クリーンフィルタ
１３  ダッシュパネル
１４  パイプシール材
１５  ドレンホース
１５ａ  ホース開口端
１６  車室
１７  エンジンルーム（パワーユニットルーム）
１８Ａ，１８Ｂ，１８Ｃ，１８Ｄ，１８Ｅ，１８Ｆ  高圧パイプ冷却装置
181  パイプ冷却機構
182  異物除去機構
２０  装置ケース
２０’  銅製装置ケース
２０”  樹脂製装置ケース
２１  ドレン水排出口
２２  スポンジ（微細通孔材）
２２’  繊維質素材（微細通孔材）
２３  ドレン風出口
２４  メッシュフィルタ
２５  ドレン水受け
２５ａ  ドレン水受けの開口端
２６ドレン水案内突条
ｔ  隙間
２７  ラビリンス構造
２８  水受け穴
２９  銅板
３０  導風板
【図１】
2008286489.tif 000003
【図２】
2008286489.tif 000004
【図３】
2008286489.tif 000005
【図４】
2008286489.tif 000006
【図５】
2008286489.tif 000007
【図６】
2008286489.tif 000008
【図７】
2008286489.tif 000009
【図８】
2008286489.tif 000010
【図９】
2008286489.tif 000011
【図１０】
2008286489.tif 000012
【図１１】
2008286489.tif 000013
【図１２】
2008286489.tif 000014
【図１３】
2008286489.tif 000015
【図１４】
2008286489.tif 000016
【図１５】
2008286489.tif 000017